(57)【要約】【課題】隔壁に孔があいたり、隔壁と接続する軸筒側壁の外面にヒケが発生するおそれがない両頭式筆記具及び両頭式筆記具の軸筒を提供する。【解決手段】両端が開口する軸筒２を合成樹脂の射出成形により形成する。軸筒２の内部に隔壁３を一体に形成する。隔壁３により、軸筒２の内部に、軸筒２の一端より開口する第１のインキタンク６Ａと、軸筒２の他端より開口する第２のインキタンク６Ｂとを設ける。第１のインキタンク６Ａと第２のインキタンク６Ｂとを互いに連通しない構成とする。隔壁３を軸方向に延設する。隔壁３を介して第１のインキタンク６Ａと第２のインキタンク６Ｂとを径方向に重なり合う重層状態に構成する。隔壁３の肉厚Ｃと、隔壁３と接続する軸筒２側壁の肉厚Ｄとが、「０．２≦Ｃ／Ｄ≦２．５」の関係を満足する。【選択図】  図２
2005186512.tif 000002
【特許請求の範囲】
【請求項１】
両端が開口する軸筒を透明性合成樹脂の射出成形により形成し、前記軸筒の内部に隔壁を一体に形成し、前記隔壁により、前記軸筒の内部に、前記軸筒の一端より開口する第１のインキタンクと、前記軸筒の他端より開口する第２のインキタンクとを設け、前記第１のインキタンクと前記第２のインキタンクとを互いに連通しない構成とし、前記第１のインキタンクの開口部に、第１のペン先と接続される第１のインキ保溜部材を設け、前記第１のインキ保溜部材の後方の第１のインキタンク内に第１のインキ貯溜部を設け、前記第１のインキ貯溜部内に第１のインキを貯溜し、前記第１のインキ保溜部材が、前記第１のインキ貯溜部内の圧力上昇に応じた溢出インキを一時的に保持してなり、前記第２のインキタンクの開口部に、第２のペン先と接続される第２のインキ保溜部材を設け、前記第２のインキ保溜部材の後方の第２のインキタンク内に第２のインキ貯溜部を設け、前記第２のインキ貯溜部内に第２のインキを貯溜し、前記第２のインキ保溜部材が、前記第２のインキ貯溜部内の圧力上昇に応じた溢出インキを一時的に保持してなり、前記隔壁を軸方向に延設し、前記隔壁を介して第１のインキ貯溜部と第２のインキ貯溜部とを径方向に重なり合う重層状態に構成し、前記隔壁の肉厚をＣとし、前記隔壁と接続する軸筒側壁の肉厚をＤとするとき、
０．２≦Ｃ／Ｄ≦２．５
の関係を満足することを特徴とする両頭式筆記具。
【請求項２】
前記隔壁と接続する軸筒側壁の外面に印刷層を設けた請求項１記載の両頭式筆記具。
【請求項３】
両端が開口する軸筒を合成樹脂の射出成形により形成し、前記軸筒の内部に隔壁を一体に形成し、前記隔壁により、前記軸筒の内部に、前記軸筒の一端より開口する第１のインキタンクと、前記軸筒の他端より開口する第２のインキタンクとを設け、前記第１のインキタンクと前記第２のインキタンクとを互いに連通しない構成とし、前記隔壁を軸方向に延設し、前記隔壁を介して第１のインキタンクと第２のインキタンクとを径方向に重なり合う重層状態に構成し、前記隔壁の肉厚をＣとし、前記隔壁と接続する軸筒側壁の肉厚をＤとするとき、
０．２≦Ｃ／Ｄ≦２．５
の関係を満足することを特徴とする両頭式筆記具の軸筒。
【請求項４】
前記隔壁と接続する軸筒側壁の外面に印刷層を設けた請求項３記載の両頭式筆記具の軸筒。
【発明の詳細な説明】
【技術分野】
【０００１】
本発明は、軸筒の両端にペン先を備えた直液タイプの両頭式筆記具及びその軸筒に関する。尚、本発明において、「前」とは、第１のインキタンクにおいて第１のペン先側を指し、第２のインキタンクにおいて第２のペン先側を指す。「後」とは、第１のインキタンクにおいて第１のインキ貯溜部側を指し、第２のインキタンクにおいて第２のインキ貯溜部側を指す。
【背景技術】
【０００２】
従来、この種の両頭式筆記具に関して、例えば特許文献１には、ペン先とペン先ホルダとインキタンクを固定した直液構造のペン先ユニットを筒軸両端側に着脱自在に取付けた筆記具が開示されている。
【０００３】
【特許文献１】特開２００２−３６７８６号公報
【発明の開示】
【発明が解決しようとする課題】
【０００４】
前記特許文献１の筆記具は、いずれか一方のペン先を下向きにした場合、二つのインキ収納部内の各々のインキが前後に別れて視認される。特に、前記特許文献１の筆記具は、インキ収納部内に空気が多く存在すると、いずれか一方のペン先を下向きにした場合、前記各々のインキの前後の距離が大きくなり、外観的な面白みが不足する。
【０００５】
その上、前記特許文献１の筆記具は、筆立て等に収容陳列状態の場合、筆立て等の外部に突出する上側のペン先のインキ色は視認できるとしても、筆立て等の内部に収容された下側のペン先のインキ色が視認できず、ユーザーに不便を与えるおそれがある。
【０００６】
また、本発明のような、隔壁を軸方向に延設した構成の場合、軸筒の成形時、隔壁を成形する金型のコアピンが樹脂圧力により径方向内方に撓んで隔壁に孔があいたり、内面が隔壁と接続される軸筒側壁の外面にヒケが発生するおそれがある。特に、前記軸筒側壁の外面にヒケが存在すると、軸筒の外面に加飾印刷を施す場合、印刷不良の原因となるおそれがある。
【０００７】
本発明は前記問題点を解決するものであって、インキタンクの外観的な面白みが増加するとともに、筆立て等に収容した状態でもインキ色の識別が可能となり、しかも、隔壁に孔があいたり、隔壁と接続する軸筒側壁の外面にヒケが発生するおそれがない両頭式筆記具を提供しようとするものである。また、本発明は、隔壁に孔があいたり、隔壁と接続する軸筒側壁の外面にヒケが発生するおそれがない両頭式筆記具の軸筒を提供しようとするものである。
【課題を解決するための手段】
【０００８】
〔１〕本願の第１の発明の両頭式筆記具１は、両端が開口する軸筒２を透明性合成樹脂の射出成形により形成し、前記軸筒２の内部に隔壁３を一体に形成し、前記隔壁３により、前記軸筒２の内部に、前記軸筒２の一端より開口する第１のインキタンク６Ａと、前記軸筒２の他端より開口する第２のインキタンク６Ｂとを設け、前記第１のインキタンク６Ａと前記第２のインキタンク６Ｂとを互いに連通しない構成とし、前記第１のインキタンク６Ａの開口部に、第１のペン先５Ａと接続される第１のインキ保溜部材７Ａを設け、前記第１のインキ保溜部材７Ａの後方の第１のインキタンク６Ａ内に第１のインキ貯溜部８Ａを設け、前記第１のインキ貯溜部８Ａ内に第１のインキ９Ａを貯溜し、前記第１のインキ保溜部材７Ａが、前記第１のインキ貯溜部８Ａ内の圧力上昇に応じた溢出インキを一時的に保持してなり、前記第２のインキタンク６Ｂの開口部に、第２のペン先５Ｂと接続される第２のインキ保溜部材７Ｂを設け、前記第２のインキ保溜部材７Ｂの後方の第２のインキタンク６Ｂ内に第２のインキ貯溜部８Ｂを設け、前記第２のインキ貯溜部８Ｂ内に第２のインキ９Ｂを貯溜し、前記第２のインキ保溜部材７Ｂが、前記第２のインキ貯溜部８Ｂ内の圧力上昇に応じた溢出インキを一時的に保持してなり、前記隔壁３を軸方向に延設し、前記隔壁３を介して第１のインキ貯溜部８Ａと第２のインキ貯溜部８Ｂとを径方向に重なり合う重層状態に構成し、前記隔壁３の肉厚をＣとし、前記隔壁３と接続する軸筒２側壁の肉厚をＤとするとき、
０．２≦Ｃ／Ｄ≦２．５
の関係を満足すること（請求項１）を要件とする。
【０００９】
前記請求項１の両頭式筆記具１は、隔壁３を軸方向に延設し、前記隔壁３を介して第１のインキ貯溜部８Ａと第２のインキ貯溜部８Ｂとを径方向に重なり合う重層状態に構成したことにより、第１のインキ貯溜部８Ａ内の第１のインキ９Ａと第２のインキ貯溜部８Ｂ内の第２のインキ９Ｂとを外部より近接して視覚でき、外観的な面白みが増加する。その上、前記請求項１の両頭式筆記具１は、筆立て等に収容陳列状態の場合でも、前記筆立て等の上方より露出する第１のインキ貯溜部８Ａ及び第２のインキ貯溜部８Ｂとを同時に視覚でき、第１のインキ貯溜部８Ａ内の第１のインキ９Ａの色及び第２のインキ貯溜部８Ｂ内の第２のインキ９Ｂの色を容易に視認することができる。
【００１０】
さらに、前記請求項１の両頭式筆記具１は、隔壁３と接続する軸筒２側壁の肉厚Ｄに対する隔壁３の肉厚Ｃの比（Ｃ／Ｄ）が、０．２≦Ｃ／Ｄ≦２．５（好ましくは０．３≦Ｃ／Ｄ≦１．５）の関係を満足することによって、軸筒２の成形時、隔壁３を成形する金型のコアピンが径方向内方に撓んで隔壁３に孔があくことを回避するとともに、隔壁３と接続する軸筒２側壁の外面にヒケが発生することを抑えることができる。尚、前記隔壁と接続する軸筒２側壁の肉厚Ｄとは、軸方向に延設された隔壁３の存在する領域内における、隔壁３との連結部分以外の軸筒２側壁の肉厚である。
【００１１】
前記Ｃ／Ｄが、０．２より小さい場合（即ちＣ／Ｄ＜０．２の場合）、隔壁３の肉厚Ｃが、隔壁３と接続する軸筒２側壁の肉厚Ｄに比較して小さくなり過ぎ、成形時、樹脂の未充填により隔壁３に孔があくおそれがある。一方、前記Ｃ／Ｄが、２．５より大きい場合（即ちＣ／Ｄ＞２．５の場合）、隔壁３の肉厚Ｃが、隔壁３と接続する軸筒２側壁の肉厚Ｄに比較して大きくなり過ぎ、隔壁３が接続される軸筒２側壁の外面にヒケが発生するおそれがある。
【００１２】
〔２〕前記請求項１の両頭式筆記具１において、隔壁３と接続する軸筒２側壁の外面に印刷層４を設けること（請求項２）が好ましい。
【００１３】
前記請求項２の両頭式筆記具１は、隔壁３と接続する軸筒２側壁の外面にヒケの発生が抑えられる請求項１の構成と相まって、隔壁３と接続する軸筒２側壁の外面に、印刷不良のない適正な印刷層４を確実に設けることができる。
【００１４】
〔３〕また、本願の第２の発明の両頭式筆記具の軸筒２は、両端が開口する軸筒２を合成樹脂の射出成形により形成し、前記軸筒２の内部に隔壁３を一体に形成し、前記隔壁３により、前記軸筒２の内部に、前記軸筒２の一端より開口する第１のインキタンク６Ａと、前記軸筒２の他端より開口する第２のインキタンク６Ｂとを設け、前記第１のインキタンク６Ａと前記第２のインキタンク６Ｂとを互いに連通しない構成とし、前記隔壁３を軸方向に延設し、前記隔壁３を介して第１のインキタンク６Ａと第２のインキタンク６Ｂとを径方向に重なり合う重層状態に構成し、前記隔壁３の肉厚をＣとし、前記隔壁３と接続する軸筒２側壁の肉厚をＤとするとき、
０．２≦Ｃ／Ｄ≦２．５
の関係を満足すること（請求項３）を要件とする。
【００１５】
前記請求項３の両頭式筆記具の軸筒２は、隔壁３と接続する軸筒２側壁の肉厚Ｄに対する隔壁３の肉厚Ｃの比（Ｃ／Ｄ）が、０．２≦Ｃ／Ｄ≦２．５（好ましくは０．３≦Ｃ／Ｄ≦１．５）の関係を満足することによって、軸筒２の成形時、隔壁３を形成する金型のコアピンが径方向内方に撓んで隔壁３に孔があくことを回避するとともに、隔壁３と接続する軸筒２側壁の外面にヒケが発生することを抑えることができる。尚、前記隔壁と接続する軸筒２側壁の肉厚Ｄとは、軸方向に延設された隔壁３の存在する領域内における、隔壁３との連結部分以外の軸筒２側壁の肉厚である。
【００１６】
前記Ｃ／Ｄが、０．２より小さい場合（即ちＣ／Ｄ＜０．２の場合）、隔壁３の肉厚Ｃが、隔壁３と接続する軸筒２側壁の肉厚Ｄに比較して小さくなり過ぎ、成形時、樹脂の未充填により隔壁３に孔があくおそれがある。一方、前記Ｃ／Ｄが、２．５より大きい場合（即ちＣ／Ｄ＞２．５の場合）、隔壁３の肉厚Ｃが、隔壁３と接続する軸筒２側壁の肉厚Ｄに比較して大きくなり過ぎ、隔壁３と接続する軸筒２側壁の外面にヒケが発生するおそれがある。
【００１７】
〔４〕前記請求項３の両頭式筆記具の軸筒２において、前記隔壁３と接続する軸筒２側壁の外面に印刷層４を設けること（請求項４）が好ましい。
【００１８】
前記請求項４の両頭式筆記具の軸筒２は、隔壁３と接続する軸筒２側壁の外面にヒケの発生が抑えられる請求項３の構成と相まって、隔壁３と接続する軸筒２側壁の外面に、印刷不良のない適正な印刷層４を確実に設けることができる。
【発明の効果】
【００１９】
請求項１の両頭式筆記具は、外観的な面白みが増加しするとともに、筆立て等に収容陳列状態の場合でも、第１のインキ貯溜部内のインキ色と第２のインキ貯溜部内のインキ色を容易に視認することができ、しかも、隔壁に孔があいたり、隔壁と接続する軸筒側壁の外面にヒケが発生するおそれがない。
【００２０】
請求項２の両頭式筆記具は、隔壁が接続される軸筒側壁の外面に、印刷不良のない適正な印刷層を確実に設けることができる。
【００２１】
請求項３の両頭式筆記具の軸筒は、隔壁に孔があいたり、隔壁と接続する軸筒側壁の外面にヒケが発生するおそれがない。
【００２２】
請求項４の両頭式筆記具の軸筒は、隔壁が接続される軸筒側壁の外面に、印刷不良のない適正な印刷層を確実に設けることができる。
【発明を実施するための最良の形態】
【００２３】
本発明を実施するための最良の形態を、以下、図面に従って説明する。
図１に、本願の第１の発明の両頭式筆記具１の実施の形態、及び、本願の第２の発明の両頭式筆記具の軸筒２を適用した両頭式筆記具１の実施の形態を示す。図２及び図３に、本願の第１の発明の両頭式筆記具１に適用する軸筒２の実施の形態、及び、本願の第２の発明の両頭式筆記具の軸筒２の実施の形態を示す。
【００２４】
前記両頭式筆記具１は、一端に第１のペン先５Ａを備え且つ他端に第２のペン先５Ｂを備えた軸筒２からなる。
【００２５】
・軸筒
前記軸筒２は、両端が開口された円筒体である。前記軸筒２は、透明性の合成樹脂（即ち透明また半透明の合成樹脂）の射出成形により得られる。前記軸筒２の内面には、隔壁３が一体に形成される。前記隔壁３により、前記軸筒２の内部に、軸筒２の一端より開口する第１のインキタンク６Ａと、軸筒２の他端より開口する第２のインキタンク６Ｂとが形成される。前記隔壁３により、前記第１のインキタンク６Ａと第２のインキタンク６Ｂとの間は、連通せず、互いにインキが流通しないように遮断される。前記透明または半透明の合成樹脂は、例えば、ポリプロピレンが挙げられる。本実施の形態では、前記透明または半透明の合成樹脂は、軸筒２内のインキ色が視認しやすいように、無色透明性または非着色透明性の合成樹脂が採用されている。
【００２６】
・隔壁
前記隔壁３は、軸方向に延設された構成（即ち、少なくとも、軸線と平行に延びる構成または軸線に対して傾斜した構成）よりなる。前記隔壁３は、本実施の形態では、軸線と略平行に延びる中央壁部３１と、該中央壁部３１の両端より延設される軸線に対して傾斜した傾斜壁部３２及び傾斜壁部３３とからなる。前記傾斜壁部３２は、第１のインキ保溜部材７Ａ近傍の軸筒２側壁内面に一体に連結され、前記傾斜壁部３３は、第２のインキ保溜部材７Ｂ近傍の軸筒２側壁内面に一体に連結される。前記隔壁３により、第１のインキ貯溜部８Ａと第２のインキ貯溜部８Ｂとが、隔壁３を介して径方向に重なり合う２層の重層状態に形成される。
【００２７】
・インキタンク
前記第１のインキタンク６Ａは、前方に開口する横断面円形状の第１の大径部６１Ａと、該第１の大径部６１Ａより後方に連設される横断面半円形状の第１の小径部６２Ａとからなる。前記第１の大径部６１Ａには、第１のインキ保溜部材７Ａが嵌入される。前記第１のインキ保溜部材７Ａの後方の第１のインキタンク６Ａ内（即ち第１のインキ保溜部材７Ａの後方の第１の大径部６１Ａと第１の小径部６２Ａとからなる空間）には、第１のインキ貯溜部８Ａが形成される。
【００２８】
前記第２のインキタンク６Ｂは、前方に開口する横断面円形状の第２の大径部６１Ｂと、該第２の大径部６１Ｂより後方に連設される横断面半円形状の第２の小径部６２Ｂとからなる。前記第２の大径部６１Ｂには、第２のインキ保溜部材７Ｂが嵌入される。前記第２のインキ保溜部材７Ｂの後方の第２のインキタンク６Ｂ内（即ち第２のインキ保溜部材７Ｂの後方の第２の大径部６１Ｂと第２の小径部６２Ｂとからなる空間）には、第２のインキ貯溜部８Ｂが形成される。
【００２９】
前記第１の小径部６２Ａと第２の小径部６２Ｂは隔壁３を介して径方向に重なり合う２層の重層状態となる。前記第１の小径部６２Ａと第２の小径部６２Ｂとの重層部分の外径は、前記第１の大径部６１Ａの外径及び第２の大径部６１Ｂの外径と、略同一に設定される。
【００３０】
・肉厚
本実施の形態において、隔壁３の肉厚Ｃ（即ち、中央壁部３１の肉厚、傾斜壁部３２の肉厚、傾斜壁部３３の肉厚）は、０．７ｍｍ〜２．０ｍｍの範囲に設定され、隔壁３と接続する軸筒２側壁の肉厚Ｄは、１．５ｍｍ〜２．０ｍｍの範囲に設定されている。即ち、軸筒２側壁の肉厚Ｄに対する隔壁３の肉厚Ｃの比（Ｃ／Ｄ）は、０．３５〜１．３３の範囲に設定されている。それにより、軸筒２の成形時、隔壁３を成形する金型のコアピンが径方向内方に撓んで隔壁３に孔があくことを回避するとともに、隔壁３と接続する軸筒２側壁の外面にヒケが発生することを抑えることができる。
【００３１】
・印刷層
前記隔壁３と接続する軸筒２側壁の外面には、文字、図柄、バーコード等を表示する印刷層４が設けられる。前記印刷層４は、例えば、スクリーン印刷、パッド印刷、オフセット印刷、または転写印刷等により得られる。前記隔壁３と接続する軸筒２側壁の外面は、成形時のヒケの発生が抑えられるため、印刷不良のおそれのない適正な印刷層４を得ることができる。前記印刷層４は、重層状態の第１のインキタンク６Ａ（即ち第１のインキ貯溜部８Ａ）と第２のインキタンク６Ｂ（即ち第２のインキ貯溜部８Ｂ）とを外部より視認可能なように形成される。本実施の形態では、隔壁３と接続する軸筒２側壁の外面に部分的に形成される。特に、本発明では、隔壁３と接続される軸筒２側壁の外面に殆どヒケが存在しないため、ヒケが発生しやすい隔壁３の連結部分の軸筒２側壁外面に、印刷層４が形成されても、印刷不良が生じるおそれがない。
【００３２】
・インキ保溜部材
前記第１のインキ保溜部材７Ａは、第１のインキ貯溜部８Ａ内の圧力上昇に応じた溢出インキを一時的に保持する部材であり、本実施の形態では、複数の円板状櫛歯を備えた合成樹脂（例えばＡＢＳ樹脂）の射出成形体である。前記第１のインキ保溜部材７Ａの前端には、第１のペン先５Ａが取り付けられる。前記第１のインキ保溜部材７Ａの軸心には軸心孔が貫設され、前記軸心孔にインキ誘導芯７１Ａが挿着される。前記インキ誘導芯７１Ａの前端は第１のペン先５Ａに接続され、前記インキ誘導芯７１Ａの後端は第１のインキ貯溜部８Ａに接続される。前記インキ誘導芯７１Ａは、軸方向の毛細管通路を有する、繊維加工体、多孔質体、合成樹脂押出成形体のいずれであってもよいが、本実施の形態では、繊維の樹脂加工体（例えばポリエステル繊維の樹脂加工体）が採用されている。
【００３３】
前記第２のインキ保溜部材７Ｂは、第２のインキ貯溜部８Ｂ内の圧力上昇に応じた溢出インキを一時的に保持する部材であり、本実施の形態では、複数の円板状櫛歯を備えた合成樹脂（例えばＡＢＳ樹脂）の射出成形体である。前記第２のインキ保溜部材７ＢＢの前端には、第２のペン先５Ｂが取り付けられる。前記第２のインキ保溜部材７Ｂの軸心には軸心孔が貫設され、前記軸心孔にインキ誘導芯７１Ｂが挿着される。前記インキ誘導芯７１Ｂの前端は第２のペン先５Ｂに接続され、前記インキ誘導芯７１Ｂの後端は第２のインキ貯溜部８Ｂに接続される。前記インキ誘導芯７１Ｂは、軸方向の毛細管通路を有する、繊維加工体、多孔質体、合成樹脂押出成形体のいずれであってもよいが、本実施の形態では、繊維の樹脂加工体（例えばポリエステル繊維の樹脂加工体）が採用されている。
【００３４】
前記第１のインキ保溜部材７Ａは、第１のインキ貯溜部８Ａ内の第１のインキ９Ａと略同色に着色されている。前記第２のインキ保溜部材７Ｂは、第２のインキ貯溜部８Ｂ内の第２のインキ９Ｂと略同色に着色されている。軸筒２２が透明または半透明の材料よりなることから、軸筒２の外部より第１のインキ保溜部材７Ａ及び第２のインキ保溜部材７Ｂの着色されたインキ色を視認できる。
【００３５】
・インキ
前記第１のインキ貯溜部８Ａ内には、第１のインキ９Ａが貯溜され、第２のインキ貯溜部８Ｂには、第２のインキ９Ｂが貯溜される。前記第１のインキ９Ａと第２のインキ９Ｂとは、互いに色が異なる組合せが採用される。それにより、一層、外観的な面白みが増す。前記第１のインキ貯溜部８Ａ内の第１のインキ９Ａ及び第２のインキ貯溜部８Ｂ内の第２のインキ９Ｂは、軸筒２が透明または半透明の材料よりなることから、外部より視認可能である。本実施の形態では、第１のインキ９Ａ及び第２のインキ９Ｂは、蛍光顔料または蛍光染料を含むインキが採用される。それにより、発色の優れた、見栄えのよい外観性を有する両頭式筆記具１が得られる。前記第１のインキ９Ａと第２のインキ９Ｂの色の組合せは、例えば、蛍光イエローと蛍光ピンクの組合せ、蛍光イエローと蛍光オレンジの組合せ、蛍光イエローと蛍光グリーンの組合せ、蛍光ピンクと蛍光オレンジの組合せ、蛍光ピンクと蛍光グリーンの組合せ、蛍光イエローと蛍光ブルーの組合せ、または蛍光イエローと蛍光バイオレットの組合せ等が、配色の見栄えが良い点から好ましい。
【００３６】
前記第１のインキ９Ａ及び第２のインキ９Ｂは、隔壁３を介して径方向の２層の重層状態で視認される。第１のインキ貯溜部８Ａ及び第２のインキ貯溜部８Ｂには、第１のペン先５Ａまたは第２のペン先５Ｂのいずれのペン先を下向きにしても、第１のインキタンク６Ａの第１の小径部６２Ａ及び第２のインキタンク６Ｂの第２の小径部６２Ｂに常時インキが存在するよう第１のインキ９Ａ及び第２のインキ９Ｂの充填量が設定される。それにより、第１のペン先５Ａまたは第２のペン先５Ｂを下向きにした際、第１のインキ９Ａと第２のインキ９Ｂとを、隔壁３を介して左右（即ち径方向）に２層の重層状態で確実に視認可能となる。
【００３７】
尚、前記重層部分を構成する隔壁３の軸方向の長さは、２色の視認が容易である点で、第１のインキ保溜部材７Ａの後端と第２のインキ保溜部材７Ｂの後端との間の軸方向の長さの少なくとも２０％以上に設定することが好ましい。また、いずれか一方のペン先が下向き状態における第１のインキ９Ａと第２のインキ９Ｂとの重層部分の軸方向の長さも、２色の視認が容易である点で、第１のインキ保溜部材７Ａの後端と第２のインキ保溜部材７Ｂの後端との間の軸方向の長さの少なくとも２０％以上に設定するよう、第１のインキ９Ａ及び第２のインキ９Ｂの充填量を設定することが好ましい。
【００３８】
・ペン先
前記第１のペン先５Ａは、繊維加工体、毛筆体、または多孔質体よりなり、第１のインキ貯溜部８Ａ内の第１のインキ９Ａが含浸されることにより、外部より第１のインキ９Ａの色が視認され、第１のペン先５Ａが第１のインキ９Ａの色に着色された状態となる。同様に、前記第２のペン先５Ｂも、繊維加工体、毛筆体、または多孔質体であり、第２のインキ９Ｂ貯溜部８Ｂ内の第２のインキ９Ｂが含浸されることにより、外部より第２のインキ９Ｂの色が視認され、第２のペン先５Ｂが第２のインキ９Ｂの色に着色された状態となる。本実施の形態では、第１のペン先５Ａ及び第２のペン先５Ｂは、同一形状の、繊維の樹脂加工体（例えばポリエステル繊維の樹脂加工体）よりなる。
【００３９】
前記以外にも、前記第１のペン先５Ａ及び第２のペン先５Ｂは、例えば、両者の形状が異なる繊維加工体、両者がボールペンチップの組合せ、両者が毛筆体の組合せ、両者が多孔質体の組合せ、両者が先端にスリットを備えた金属板製の万年筆状ペン先の組合せ、両者が合成樹脂の押出成形体よりなるペン体（プラスチックペン体）の組合せ、一方が繊維加工体で他方が多孔質体の組合せ、一方が繊維加工体で他方がプラスチックペン体の組合せ、一方が繊維加工体で他方が毛筆体の組合せ、一方が繊維加工体で他方が万年筆状ペン先の組合せ、一方が繊維加工体で他方がボールペンチップの組合せ、一方が多孔質体で他方がプラスチックペン体の組合せ、一方が多孔質体で他方が毛筆体の組合せ、一方が多孔質体で他方が万年筆状ペン先の組合せ、一方が多孔質体で他方がボールペンチップの組合せ、一方がプラスチックペン体で他方が毛筆体の組合せ、一方がプラスチックペン体で他方が万年筆状ペン先の組合せ、一方がプラスチックペン体で他方がボールペンチップの組合せ、一方が毛筆体で他方が万年筆状ペン先の組合せ、一方が毛筆体で他方がボールペンチップの組合せ、または、一方が万年筆状ペン先で他方がボールペンチップの組合せ等が挙げられる。前記ボールペンチップの場合、その外面が第１のインキ貯溜部８Ａ及び第２のインキ貯溜部８Ｂ内のインキと略同色に、ボールペンチップ本体またはペン先ホルダーに着色されることが好ましい。尚、本発明のペン先とは、ペン先本体と軸筒２２との間に介在されるペン先ホルダーを含む。
【図面の簡単な説明】
【００４０】
【図１】本発明の両頭式筆記具の縦断面図である。
【図２】本発明の両頭式筆記具の軸筒の縦断面図である。
【図３】図２のＥ−Ｅ線断面図である。
【符号の説明】
【００４１】
１  両頭式筆記具
２  軸筒
３  隔壁 
３１  中央壁部
３２  傾斜壁部
３３  傾斜壁部
４  印刷層
５Ａ  第１のペン先
６Ａ  第１のインキタンク
６１Ａ  第１の大径部
６２Ａ  第１の小径部
７Ａ  第１のインキ保溜部材
７１Ａ  インキ誘導芯
８Ａ  第１のインキ貯溜部
９Ａ  第１のインキ
５Ｂ  第２のペン先
６Ｂ  第２のインキタンク
６１Ｂ  第２の大径部
６２Ｂ  第２の小径部
７Ｂ  第２のインキ保溜部材
７１Ｂ  インキ誘導芯
８Ｂ  第２のインキ貯溜部
９Ｂ  第２のインキ
Ｃ  隔壁と接続する軸筒の側壁の肉厚  
Ｄ  隔壁の肉厚  
【図１】
2005186512.tif 000003
【図２】
2005186512.tif 000004
【図３】
2005186512.tif 000005